(57)【要約】【課題】映像信号の一部として送信されるＵＲＬ等の文字情報を抽出する場合において、誤動作を抑え、精度の高い文字列情報を提供する。【解決手段】映像信号文字列を検出すると同時に、音声信号を音声認識して文字列を検出して、するから送信されている文字情報を抽出し、２つの文字列が一致すればその文字列を出力し、２つの文字列の一致の割合が高ければあらかじめ設定された補正率により文字列の補正を行いその補正された文字列を出力し、２つの文字列の一致の割合が低ければ映像信号から検出した文字列を出力する。【選択図】図１
2005227944.tif 000002
【特許請求の範囲】
【請求項１】
入力映像信号に対し、その画像の一部として送信されてくる文字列を検出する文字列検出装置と、前記文字列検出装置の出力を入力とし、あらかじめ設定された特殊文字と一致する文字列があった場合、その文字列の前後のあらかじめ設定された長さの文字列のみを出力する第１の特殊文字認識装置と、前記第１の特殊文字認識装置の出力を入力とし、その内容をある一定期間保持しておくことができる第１の文字列候補蓄積装置と、入力音声信号を文字列に変換する音声認識装置と、前記音声認識装置の出力を入力とし、あらかじめ設定された特殊文字と一致する文字列があった場合、その文字列の前後のあらかじめ設定された長さの文字列のみを出力する第２の特殊文字認識装置と、前記第２の特殊文字認識装置の出力を入力とし、その内容をある一定期間保持しておくことができる第２の文字列候補蓄積装置と、前記第１の文字列候補蓄積装置および前記第２の文字列候補蓄積装置の出力を入力とし、２つの入力が一致すればその文字列を出力し、２つの文字列の一致の割合が高ければあらかじめ設定された補正率により文字列の補正を行いその補正された文字列を出力し、２つの文字列の一致の割合が低ければ前記第１の文字列候補蓄積装置の出力を出力する文字列補正装置と、前記文字列補正装置の出力を入力とし、その入力文字列を保持し、ＣＰＵの要求に従ってその文字列を出力する特殊文字記憶装置とを備え、映像信号の一部として送られてくる文字列を抜き取りその文字列をＣＰＵにて用いる際に、音声信号情報を用いてその誤動作を抑え、精度の高い文字列情報を提供することを特徴とする文字情報取得装置。
【請求項２】
入力映像信号に対し、その画像の一部として送信されてくる文字列を検出し、その文字を検出する際の確からしさを文字列に付与し出力する文字列情報検出装置と、前記文字列情報検出装置の出力を入力とし、あらかじめ設定された特殊文字と一致する文字列があった場合、その文字列の前後のあらかじめ設定された長さの文字列および確からしさのみを出力する第３の特殊文字認識装置と、前記第３の特殊文字認識装置の出力を入力とし、その内容をある一定期間保持しておくことができる第３の文字列候補蓄積装置と、入力音声信号を文字列に変換し、その文字に変換する際の確からしさを文字列に付与し出力する音声認識情報出力装置と、前記音声認識情報出力装置の出力を入力とし、あらかじめ設定された特殊文字と一致する文字列があった場合、その文字列の前後のあらかじめ設定された長さの文字列および確からしさのみを出力する第４の特殊文字認識装置と、前記第４の特殊文字認識装置の出力を入力とし、その内容をある一定期間保持しておくことができる第４の文字列候補蓄積装置と、前記第３の文字列候補蓄積装置および前記第４の文字列候補蓄積装置の出力を入力とし、２つの入力が一致すればその文字列を出力し、２つの文字列が一致しなければ文字列に付与された確からしさの情報により確からしさの大きい文字を選択し出力し、２つの文字列の一致の割合が低ければ前記第３の文字列候補蓄積装置の出力を出力する第２の文字列補正装置と、前記第２の文字列補正装置の出力を入力とし、その入力文字列を保持し、ＣＰＵの要求に従ってその文字列を出力する特殊文字記憶装置とを備え、映像信号の一部として送られてくる文字列を抜き取りその文字列をＣＰＵにて用いる際に、音声信号情報を用いてその誤動作を抑え、精度の高い文字列情報を提供することを特徴とする文字情報取得装置。
【発明の詳細な説明】
【技術分野】
【０００１】
本発明は、表示画像中に含まれるＵＲＬ情報やメールアドレスなどを取得するインターネット情報取得装置に関し、さらに詳述すれば、インターネット情報取得装置を組み込んだインターネット接続機能を有する映像表示装置に関する。
【背景技術】
【０００２】
近年のパーソナルコンピュータやインターネット機能付き携帯電話の急速な普及と共に、インターネットの利用が拡大している。また、テレビ放送中の番組において、当該番組自身や番組で紹介した商品や場所などの情報が提供されているホームページのＵＲＬ情報を映像や音声で表示して、視聴者が当該ホームページにアクセスしてさらに情報を獲得できるような便宜を図っている。また、放送される各社のオリジナルＣＭなどでも、商品情報や会社概要などが紹介されているホームページのＵＲＬが頻繁に表示されている。その映像の一部として送られてくるテロップなどの文字情報を抜き出し、コンテンツ視聴などに利用する手法として、例えば特開２００３−０６９９１４号公報などがある。
【特許文献１】特開２００３−０６９９１４号公報
【発明の開示】
【発明が解決しようとする課題】
【０００３】
しかしながら、画像の一部である文字列を抜き取る場合、文字情報としては静止しているが、文字情報の背景は動画となっていることが多く、文字情報の抜き取り精度が悪く結果として文字情報としての精度が損なわれてしまう場合があり、所望するコンテンツデータが取得できないなどの不具合が生じやすい。
【課題を解決するための手段】
【０００４】
第１の発明は、入力映像信号に対し、その画像の一部として送信されてくる文字列を検出する文字列検出装置と、前記文字列検出装置の出力を入力とし、あらかじめ設定された特殊文字と一致する文字列があった場合、その文字列の前後のあらかじめ設定された長さの文字列のみを出力する第１の特殊文字認識装置と、前記第１の特殊文字認識装置の出力を入力とし、その内容をある一定期間保持しておくことができる第１の文字列候補蓄積装置と、入力音声信号を文字列に変換する音声認識装置と、前記音声認識装置の出力を入力とし、あらかじめ設定された特殊文字と一致する文字列があった場合、その文字列の前後のあらかじめ設定された長さの文字列のみを出力する第２の特殊文字認識装置と、前記第２の特殊文字認識装置の出力を入力とし、その内容をある一定期間保持しておくことができる第２の文字列候補蓄積装置と、前記第１の文字列候補蓄積装置および前記第２の文字列候補蓄積装置の出力を入力とし、２つの入力が一致すればその文字列を出力し、２つの文字列の一致の割合が高ければあらかじめ設定された補正率により文字列の補正を行いその補正された文字列を出力し、２つの文字列の一致の割合が低ければ前記第１の文字列候補蓄積装置の出力を出力する文字列補正装置と、前記文字列補正装置の出力を入力とし、その入力文字列を保持し、ＣＰＵの要求に従ってその文字列を出力する特殊文字記憶装置とを備え、映像信号の一部として送られてくる文字列を抜き取りその文字列をＣＰＵにて用いる際に、音声信号情報を用いてその誤動作を抑え、精度の高い文字列情報を提供することを特徴とする。
【０００５】
第２の発明は、入力映像信号に対し、その画像の一部として送信されてくる文字列を検出し、その文字を検出する際の確からしさを文字列に付与し出力する文字列情報検出装置と、前記文字列情報検出装置の出力を入力とし、あらかじめ設定された特殊文字と一致する文字列があった場合、その文字列の前後のあらかじめ設定された長さの文字列および確からしさのみを出力する第３の特殊文字認識装置と、前記第３の特殊文字認識装置の出力を入力とし、その内容をある一定期間保持しておくことができる第３の文字列候補蓄積装置と、入力音声信号を文字列に変換し、その文字に変換する際の確からしさを文字列に付与し出力する音声認識情報出力装置と、前記音声認識情報出力装置の出力を入力とし、あらかじめ設定された特殊文字と一致する文字列があった場合、その文字列の前後のあらかじめ設定された長さの文字列および確からしさのみを出力する第４の特殊文字認識装置と、前記第４の特殊文字認識装置の出力を入力とし、その内容をある一定期間保持しておくことができる第４の文字列候補蓄積装置と、前記第３の文字列候補蓄積装置および前記第４の文字列候補蓄積装置の出力を入力とし、２つの入力が一致すればその文字列を出力し、２つの文字列が一致しなければ文字列に付与された確からしさの情報により確からしさの大きい文字を選択し出力し、２つの文字列の一致の割合が低ければ前記第１の文字列候補蓄積装置の出力を出力する第２の文字列補正装置と、前記第２の文字列補正装置の出力を入力とし、その入力文字列を保持し、ＣＰＵの要求に従ってその文字列を出力する特殊文字記憶装置とを備え、映像信号の一部として送られてくる文字列を抜き取りその文字列をＣＰＵにて用いる際に、音声信号情報を用いてその誤動作を抑え、精度の高い文字列情報を提供することを特徴とする。
【発明の効果】
【０００６】
本発明によれば、映像信号の一部として送信されているＵＲＬ等の文字列情報を高精度に検出し、コンテンツ視聴などに利用することができる。
【発明を実施するための最良の形態】
【０００７】
（実施の形態１）
図１を用いて説明を行う。１０１において入力した映像信号をパターン化して検出文字列１０Ａを得る。１０Ａは第１の特殊文字認識装置１０２に入力する。あらかじめ抽出したい特殊文字または文字列（以下、キーワードと称す）を設定し、文字列の比較を行う。ここではＵＲＬ情報を抽出したいという設定を考え、「ｈｔｔｐ」をキーワードに設定しておく。１０Ａに設定キーワードが存在した場合、そのキーワードから例えば後に続くＵＲＬに使用される可能性のある連続文字列をＵＲＬ情報を含んだ情報１０Ｂとして１０２の出力とする。１０２の出力１０Ｂは第１の文字列候補蓄積装置１０３に入力される。１０３では、後述する第２の文字列候補蓄積装置に情報が蓄積されるまでに想定される時間保持しておく必要がある。このように抽出されたＵＲＬ情報候補を１０３に蓄積していく。また、入力された音声信号は音声認識装置１０４で検出文字列１０Ｄを得る。１０Ｄは第１の特殊文字認識装置１０５に入力する。ここで、１０５の動作は１０２と同一で良いので省略する。１０５からＵＲＬ情報を含んだ文字列情報１０Ｅを得る。１０Ｅは第２の文字列候補蓄積装置１０６に入力される。ここで、１０６の動作は１０３と同一で良いので省略する。このように抽出されたＵＲＬ情報候補を１０６に蓄積していく。１０３および１０６に蓄積されている情報を１０７が読み出し、逐次比較を行う。ここで１０７ではまず、両者が完全に一致する場合はそのどちらかを出力する。また、両者が完全に一致しないが一致する文字が多い場合は、例えば一致する文字列はそのまま使用し、一致しない文字列については１０６の出力１０Ｆを使用し、出力する。また、一致する文字が少ない場合は音声の情報がないとして１０３の出力をそのまま出力する。出力信号１０Ｇは特殊文字記憶装置１０８に入力され、ＣＰＵにより１０８から別の記憶保持装置などに転送されるなどにより、精度の高いＵＲＬ情報としてコンテンツ視聴などに利用される。
【０００８】
（実施の形態２）
図２および図３を用いて説明を行う。２０１において入力した映像信号をパターン化して検出文字列を得る。この文字を検出する際にはいくつかの方法があるが、パターン化された信号に対してパターン認識を行い、いくつかの候補の中から最も可能性の高いものを選択するという手法をとるとすると、例えばこのときの候補の数を確からしさの情報とすると、この候補の数が少ない方が確からしさが高いということになる。この数字を検出した文字に付与すれば、確からしさを含んだ文字列情報２０Ａを得ることができる（図３を参照）。２０Ａは第３の特殊文字認識装置２０２に入力する。２０２の動作は１０２と同様であるが、キーワードとの比較は、確からしさデータは無視する。２０２の出力２０Ｂは第３の文字列候補蓄積装置２０３に入力される。２０３の動作は１０３と同様であるが、確からしさデータも同様に保持する。このため２０３は１０３よりも大きな容量を必要とする。このように抽出された確からしさを含んだＵＲＬ情報候補を２０３に蓄積していく。また、入力された音声信号は音声認識装置２０４で検出文字列を得る。この文字を検出する際にはいくつかの方法があるが、パターン化された信号に対してパターン認識を行い、いくつかの候補の中から最も可能性の高いものを選択するという手法をとるとすると、例えばこのときの候補の数を確からしさの情報とすると、この候補の数が少ない方が確からしさが高いということになる。この数字を検出した文字に付与すれば、確からしさを含んだ音声認識情報である文字列情報２０Ｄを得ることができる（図３を参照）。２０Ｄは第４の特殊文字認識装置２０５に入力する。ここで、２０５の動作は２０２と同一で良いので省略する。２０５からＵＲＬ情報を含んだ文字列情報２０Ｅを得る。２０Ｅは第４の文字列候補蓄積装置２０６に入力される。ここで、２０６の動作は２０３と同一で良いので省略する。このように抽出された確からしさを含んだＵＲＬ情報候補を２０６に蓄積していく。２０３および２０６に蓄積されている情報を２０７が読み出し、逐次比較を行う。ここで２０７ではまず、検出文字において両者が完全に一致する場合はそのどちらかを出力する。また、両者が完全に一致しないが一致する文字が多い場合は、例えば一致する文字列はそのまま使用し、一致しない文字列については付与された確からしさデータをもとにどちらの情報を選択するかを決定する。確からしさデータは小さいほど確からしさが大きいので、データが小さいほうを選択するようにする。また、一致する文字が少ない場合は音声の情報がないとして２０３の出力をそのまま出力する。出力信号２０Ｇは特殊文字記憶装置２０８に入力され、ＣＰＵにより２０８から別の記憶保持装置などに転送されるなどにより、精度の高いＵＲＬ情報としてコンテンツ視聴などに利用される。
【産業上の利用可能性】
【０００９】
本発明に係る文字情報取得装置は、映像信号の一部として送信されているＵＲＬ等の文字列情報を高精度に検出し、コンテンツ視聴などに利用することができるという効果を有し、インターネット情報取得装置を組み込んだインターネット接続機能を有する映像表示装置として有用である。
【図面の簡単な説明】
【００１０】
【図１】本発明の第１の実施例における文字情報取得装置のブロック図
【図２】本発明の第２の実施例における文字情報取得装置のブロック図
【図３】検出文字に確からしさ情報が付与されているイメージ図
【符号の説明】
【００１１】
１０１    文字列検出装置
１０２、１０５、２０２、２０５    第１の特殊文字認識装置
１０３、１０６、２０３、２０６    文字列候補蓄積装置
１０４    音声認識装置
１０７、２０７    文字列補正装置
１０８、２０８    特殊文字記憶装置
１０９、２０９    ＣＰＵ
２０１    文字列情報検出装置
２０４    音声認識情報出力装置
【図１】
2005227944.tif 000003
【図２】
2005227944.tif 000004
【図３】
2005227944.tif 000005